【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ネットワークへの接続のためのサービングセルを選択することと、
デバイス間通信における使用のための近傍セル上の周波数バンドについての探索を行うことと、前記周波数バンドは、デバイス間通信における使用のために利用可能な少なくとも１つの周波数を含み、
前記近傍セル上の前記周波数バンドについての前記探索が失敗するとき、前記周波数バンドに関連付けられた予め構成されたリソースを使用して、前記デバイス間通信を行うことと、
前記近傍セル上の前記周波数バンドについての前記探索が成功であるとき、前記近傍セルの前記周波数バンドに関連付けられたリソースを使用して、前記デバイス間通信を行うことと
を備え、
前記周波数バンドについての前記探索を行うことは、ネットワーク接続が、所定の数の決定内で検出されたとき、前記近傍セル上の前記周波数バンドについての前記探索が成功であることを決定することを備える、方法。
【請求項２】
前記デバイス間通信は、前記近傍セル上の前記周波数バンドについての前記探索が失敗するとき、予め構成されたオフセットタイミングを使用して、さらに行われる、請求項１に記載の方法。
【請求項３】
前記近傍セルから受信されたシステム情報ブロック（ＳＩＢ）を使用して、前記近傍セルの前記周波数バンドに関連付けられた前記リソースを決定すること、ここにおいて、前記システム情報ブロックは、前記近傍セルからのオーバヘッドメッセージにおいて受信される、と、
システム情報が変更されたかどうかを決定するために、前記ＳＩＢを復号することと、  前記システム情報が変更されたことが決定されるとき、少なくとも１つの追加的なＳＩＢを復号することと
をさらに備える、請求項１に記載の方法。
【請求項４】
前記近傍セルの前記周波数バンドを使用して、デバイス間送信を行うことと、
前記近傍セルの前記周波数バンドを使用して、デバイス間受信を行うことと
をさらに備える、請求項３に記載の方法。
【請求項５】
前記サービングセルの周波数バンドを使用して、デバイス間送信を行うことと、
前記近傍セルの前記周波数バンドを使用して、デバイス間受信を行うことと
をさらに備える、請求項３に記載の方法。
【請求項６】
所定の数の探索の後に、ネットワーク接続が検出されないとき、前記近傍セル上の前記周波数バンドについての前記探索が失敗したことを決定すること、または、
ネットワーク接続が、１つまたは複数の所定数の探索内で検出されたとき、前記近傍セル上の前記周波数バンドについての前記探索が成功であることを決定すること
をさらに備える、請求項１に記載の方法。
【請求項７】
前記近傍セル上の前記周波数バンドについての前記探索が失敗する場合、ネットワーク接続が前記近傍セルと前に確立されたかどうかを決定することと、
信頼メトリックに基づいて、前記近傍セル上の前記周波数バンドについての前記探索が失敗するとき、前記周波数バンドに関連付けられた前記予め構成されたリソースを使用して、前記デバイス間通信を行うことと
をさらに備える、請求項１に記載の方法。
【請求項８】
前記周波数バンドに関連付けられた予め構成されたリソースを使用して、前記デバイス間通信を行うことは、予め構成された優先度に基づいて、または前記デバイス間通信において使用された前の周波数に基づいて、周波数のリストから周波数を選択することを備え、
前記近傍セルの前記周波数バンドに関連付けられたリソースを使用して、前記デバイス間通信を行うことは、前記近傍セルからのシステム情報ブロックにおいて受信された優先度情報に基づいて、近傍周波数を選択することを備える、
請求項１に記載の方法。
【請求項９】
前記デバイス間通信が前記周波数バンド上で許されないことを決定することと、
前記デバイス間通信が前記周波数バンド上で許されないとき、前記探索を停止することと
をさらに備える、請求項１に記載の方法。
【請求項１０】
ワイヤレス通信のための装置であって、
ネットワークへの接続のためのサービングセルを選択するための手段と、
デバイス間通信における使用のための近傍セル上の周波数バンドについての探索を行うための手段と、前記周波数バンドは、デバイス間通信における使用のために利用可能な少なくとも１つの周波数を含み、
前記近傍セル上の前記周波数バンドについての前記探索が失敗するとき、前記周波数バンドに関連付けられた予め構成されたリソースを使用して、前記デバイス間通信を行うための手段と、
前記近傍セル上の前記周波数バンドについての前記探索が成功であるとき、前記近傍セルの前記周波数バンドに関連付けられたリソースを使用して、前記デバイス間通信を行うための手段と
を備え、
前記周波数バンドについての前記探索を行うことは、ネットワーク接続が、所定の数の決定内で検出されたとき、前記近傍セル上の前記周波数バンドについての前記探索が成功であることを決定することを備える、装置。
【請求項１１】
前記近傍セルから受信されたシステム情報ブロック（ＳＩＢ）を使用して、前記近傍セルの前記周波数バンドに関連付けられた前記リソースを決定するための手段、ここにおいて、前記システム情報ブロックは、前記近傍セルからのオーバヘッドメッセージにおいて受信される、と、
システム情報が変更されたかどうかを決定するために、前記ＳＩＢを復号するための手段と、
前記システム情報が変更されたことが決定されるとき、少なくとも１つの追加的なＳＩＢを復号するための手段と
をさらに備える、請求項１０に記載の装置。
【請求項１２】
前記近傍セル上の前記周波数バンドについての前記探索が失敗する場合、ネットワーク接続が前記近傍セルと前に確立されたかどうかを決定するための手段と、
信頼メトリックに基づいて、前記近傍セル上の前記周波数バンドについての前記探索が失敗するとき、前記周波数バンドに関連付けられた前記予め構成されたリソースを使用して、前記デバイス間通信を行うための手段と
をさらに備える、請求項１０に記載の装置。
【請求項１３】
前記デバイス間通信を行うための手段は、予め構成された優先度に基づいて、または前記デバイス間通信において使用された前の周波数に基づいて、周波数のリストから周波数を選択することによって、前記周波数バンドに関連付けられた予め構成されたリソースを使用し、
前記デバイス間通信を行うための手段は、前記近傍セルからのシステム情報ブロックにおいて受信された優先度情報に基づいて、近傍周波数を選択することによって、前記近傍セルの前記周波数バンドに関連付けられたリソースを使用する、
請求項１０に記載の装置。
【請求項１４】
ワイヤレス通信のためのコンピュータ実行可能コードを記憶するコンピュータ読取り可能媒体であって、
ネットワークへの接続のためのサービングセルを選択することと、
デバイス間通信における使用のための近傍セル上の周波数バンドについての探索を行うことと、前記周波数バンドは、デバイス間通信における使用のために利用可能な少なくとも１つの周波数を含み、
前記近傍セル上の前記周波数バンドについての前記探索が失敗するとき、前記周波数バンドに関連付けられた予め構成されたリソースを使用して、前記デバイス間通信を行うことと、
前記近傍セル上の前記周波数バンドについての前記探索が成功であるとき、前記近傍セルの前記周波数バンドに関連付けられたリソースを使用して、前記デバイス間通信を行うことと
を行うためのコードを備え、
前記周波数バンドについての前記探索を行うことは、ネットワーク接続が、所定の数の決定内で検出されたとき、前記近傍セル上の前記周波数バンドについての前記探索が成功であることを決定することを備える、コンピュータ読取り可能媒体。
【手続補正２】
【補正対象書類名】明細書
【補正対象項目名】００９１
【補正方法】変更
【補正の内容】
【００９１】
[00102]先の説明は、いかなる当業者であっても、ここに説明された様々な態様を実現することを可能にするために提供される。これらの態様への様々な修正は当業者には容易に明らかになり、本明細書で定義されている包括的な原理は他の態様に適用され得る。したがって、請求項は、本明細書で図示されている態様に限定されるようには意図されていないが、請求項の記載と一致した最大範囲を付与されることとし、ここにおいて、単数の要素への言及は、そのように特に述べられない限り、「１つおよび１つのみ」を意味するのではなく、むしろ「１つまたは複数」を意味するように意図されている。「例となる」という言葉は、「例、実例、または例示としての役目をする」を意味するように本明細書では使用されている。「例となる」として本明細書で説明されているいずれの態様も、必ずしも、他の態様よりも好まれる、または有利であると解釈されることとしない。そうでないと特に述べられない限り、「何らかの／いくつかの／いくらかの（some）」という用語は、１つまたは複数を指す。「Ａ、Ｂ、またはＣのうちの少なくとも１つ」、「Ａ、Ｂ、またはＣの１つまたは複数」、「Ａ、Ｂ、およびＣのうちの少なくとも１つ」、「Ａ、Ｂ、およびＣの１つまたは複数」、および「Ａ、Ｂ、Ｃ、またはそれらのあらゆる組合せ」のような組合せは、Ａ、Ｂ、および／またはＣのいずれの組合せも含み、複数のＡ、複数のＢ、または、複数のＣを含み得る。特に、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらのあらゆる組合せ」のような組合せは、Ａのみ、Ｂのみ、Ｃのみ、ＡとＢ、ＡとＣ、ＢとＣ、またはＡとＢとＣであり得、ここで、あらゆるこうした組合せが、Ａ、Ｂ、またはＣの１つまたは複数のメンバを含み得る。当業者に既知、もしくはいずれ既知となる本開示全体を通じて説明される様々な態様の要素に対する全ての構造的および機能的な同等物が、参照によってここに明示的に組み込まれ、請求項によって包含されるように意図されている。さらに、本明細書で開示されているいずれも、こうした開示が請求項において明示的に記載されているかどうかにかかわらず、公衆に献呈することは意図されていない。「モジュール」、「メカニズム」、「要素」、「デバイス」等という言葉は、「手段」という言葉に対する代替でないことがある。このように、どのクレーム要素も、該要素が「のための手段」というフレーズを使用して明示的に記載されていない限り、ミーンズプラスファンクションとして解釈されるべきではない。
以下に、本願の出願当初の特許請求の範囲に記載された発明を付記する。
［Ｃ１］
ワイヤレス通信の方法であって、
ネットワークへの接続のためのサービングセルを選択することと、
デバイス間通信における使用のための近傍セル上の周波数バンドについての探索を行うことと、
前記近傍セル上の前記周波数バンドについての前記探索が失敗するとき、前記周波数バンドに関連付けられた予め構成されたリソースを使用して、前記デバイス間通信を行うことと、
前記近傍セル上の前記周波数バンドについての前記探索が成功であるとき、前記近傍セルの前記周波数バンドに関連付けられたリソースを使用して、前記デバイス間通信を行うことと
を備える、方法。
［Ｃ２］
前記デバイス間通信は、前記近傍セル上の前記周波数バンドについての前記探索が失敗するとき、予め構成されたオフセットタイミングを使用して、さらに行われる、Ｃ１に記載の方法。
［Ｃ３］
前記近傍セルから受信されたシステム情報ブロック（ＳＩＢ）を使用して、前記近傍セルの前記周波数バンドに関連付けられた前記リソースを決定すること、ここにおいて、前記システム情報ブロックは、前記近傍セルからのオーバヘッドメッセージにおいて受信される、と、
システム情報が変更されたかどうかを決定するために、前記ＳＩＢを復号することと、  前記システム情報が変更されたことが決定されるとき、少なくとも１つの追加的なＳＩＢを復号することと
をさらに備える、Ｃ１に記載の方法。
［Ｃ４］
前記近傍セルの前記周波数バンドを使用して、デバイス間送信を行うことと、
前記近傍セルの前記周波数バンドを使用して、デバイス間受信を行うことと
をさらに備える、Ｃ３に記載の方法。
［Ｃ５］
前記サービングセルの周波数バンドを使用して、デバイス間送信を行うことと、
前記近傍セルの前記周波数バンドを使用して、デバイス間受信を行うことと
をさらに備える、Ｃ３に記載の方法。
［Ｃ６］
所定の数の探索の後に、ネットワーク接続が検出されないとき、前記近傍セル上の前記周波数バンドについての前記探索が失敗したことを決定すること
をさらに備える、Ｃ１に記載の方法。
［Ｃ７］
ネットワーク接続が、１つまたは複数の所定数の探索内で検出されたとき、前記近傍セル上の前記周波数バンドについての前記探索が成功であることを決定すること
をさらに備える、Ｃ１に記載の方法。
［Ｃ８］
前記近傍セル上の前記周波数バンドについての前記探索が失敗する場合、ネットワーク接続が前記近傍セルと前に確立されたかどうかを決定することと、
信頼メトリックに基づいて、前記近傍セル上の前記周波数バンドについての前記探索が失敗するとき、前記周波数バンドに関連付けられた前記予め構成されたリソースを使用して、前記デバイス間通信を行うことと
をさらに備える、Ｃ１に記載の方法。
［Ｃ９］
前記周波数バンドに関連付けられた予め構成されたリソースを使用して、前記デバイス間通信を行うことは、予め構成された優先度に基づいて、または前記デバイス間通信において使用された前の周波数に基づいて、周波数のリストから周波数を選択することを備え、
前記近傍セルの前記周波数バンドに関連付けられたリソースを使用して、前記デバイス間通信を行うことは、前記近傍セルからのシステム情報ブロックにおいて受信された優先度情報に基づいて、近傍周波数を選択することを備える、
Ｃ１に記載の方法。
［Ｃ１０］
前記デバイス間通信が前記周波数バンド上で許されないことを決定することと、
前記デバイス間通信が前記周波数バンド上で許されないとき、前記探索を停止することと
をさらに備える、Ｃ１に記載の方法。
［Ｃ１１］
ワイヤレス通信のための装置であって、
ネットワークへの接続のためのサービングセルを選択するための手段と、
デバイス間通信における使用のための近傍セル上の周波数バンドについての探索を行うための手段と、
前記近傍セル上の前記周波数バンドについての前記探索が失敗するとき、前記周波数バンドに関連付けられた予め構成されたリソースを使用して、前記デバイス間通信を行うための手段と、
前記近傍セル上の前記周波数バンドについての前記探索が成功であるとき、前記近傍セルの前記周波数バンドに関連付けられたリソースを使用して、前記デバイス間通信を行うための手段と
を備える、装置。
［Ｃ１２］
前記デバイス間通信は、前記近傍セル上の前記周波数バンドについての前記探索が失敗するとき、予め構成されたオフセットタイミングを使用して行うための前記手段によって、行われる、Ｃ１１に記載の装置。
［Ｃ１３］
前記近傍セルから受信されたシステム情報ブロック（ＳＩＢ）を使用して、前記近傍セルの前記周波数バンドに関連付けられた前記リソースを決定するための手段、ここにおいて、前記システム情報ブロックは、前記近傍セルからのオーバヘッドメッセージにおいて受信される、と、
システム情報が変更されたかどうかを決定するために、前記ＳＩＢを復号するための手段と、
前記システム情報が変更されたことが決定されるとき、少なくとも１つの追加的なＳＩＢを復号するための手段と
をさらに備える、Ｃ１１に記載の装置。
［Ｃ１４］
前記近傍セルの前記周波数バンドを使用して、デバイス間送信を行うための手段と、  前記近傍セルの前記周波数バンドを使用して、デバイス間受信を行うための手段と
をさらに備える、Ｃ１３に記載の装置。
［Ｃ１５］
前記サービングセルの周波数バンドを使用して、デバイス間送信を行うための手段と、  前記近傍セルの前記周波数バンドを使用して、デバイス間受信を行うための手段と、  をさらに備える、Ｃ１３に記載の装置。
［Ｃ１６］
所定の数の探索の後に、ネットワーク接続が検出されないとき、前記近傍セル上の前記周波数バンドについての前記探索が失敗したことを決定するための手段と、
をさらに備える、Ｃ１１に記載の装置。
［Ｃ１７］
ネットワーク接続が、１つまたは複数の探索内で検出されたとき、前記近傍セル上の前記周波数バンドについての前記探索が成功であることを決定するための手段
をさらに備える、Ｃ１１に記載の装置。
［Ｃ１８］
前記近傍セル上の前記周波数バンドについての前記探索が失敗する場合、ネットワーク接続が前記近傍セルと前に確立されたかどうかを決定するための手段と、
信頼メトリックに基づいて、前記近傍セル上の前記周波数バンドについての前記探索が失敗するとき、前記周波数バンドに関連付けられた前記予め構成されたリソースを使用して、前記デバイス間通信を行うための手段と
をさらに備える、Ｃ１１に記載の装置。
［Ｃ１９］
前記デバイス間通信を行うための手段は、予め構成された優先度に基づいて、または前記デバイス間通信において使用された前の周波数に基づいて、周波数のリストから周波数を選択することによって、前記周波数バンドに関連付けられた予め構成されたリソースを使用し、
前記デバイス間通信を行うための手段は、前記近傍セルからのシステム情報ブロックにおいて受信された優先度情報に基づいて、近傍周波数を選択することによって、前記近傍セルの前記周波数バンドに関連付けられたリソースを使用する、
Ｃ１１に記載の装置。
［Ｃ２０］
前記デバイス間通信が前記周波数バンド上で許されないことを決定するための手段と、  前記デバイス間通信が前記周波数バンド上で許されないとき、前記探索を停止するための手段と
をさらに備える、Ｃ１１に記載の装置。
［Ｃ２１］
ワイヤレス通信のための装置であって、
メモリと、
前記メモリに結合され、および
ネットワークへの接続のためのサービングセルを選択することと、
デバイス間通信における使用のための近傍セル上の周波数バンドについての探索を行うことと、
前記近傍セル上の前記周波数バンドについての前記探索が失敗するとき、前記周波数バンドに関連付けられた予め構成されたリソースを使用して、前記デバイス間通信を行うことと、
前記近傍セル上の前記周波数バンドについての前記探索が成功であるとき、前記近傍セルの前記周波数バンドに関連付けられたリソースを使用して、前記デバイス間通信を行うことと
を行うように構成された、少なくとも１つのプロセッサと
を備える、装置。
［Ｃ２２］
前記少なくとも１つのプロセッサは、前記近傍セル上の前記周波数バンドについての前記探索が失敗するとき、予め構成されたオフセットタイミングを使用して、前記デバイス間通信を行うように構成される、Ｃ２１に記載の装置。
［Ｃ２３］
前記少なくとも１つのプロセッサは、
前記近傍セルから受信されたシステム情報ブロック（ＳＩＢ）を使用して、前記近傍セルの前記周波数バンドに関連付けられた前記リソースを決定すること、ここにおいて、前記システム情報ブロックは、前記近傍セルからのオーバヘッドメッセージにおいて受信される、と、
システム情報が変更されたかどうかを決定するために、前記ＳＩＢを復号することと、  前記システム情報が変更されたことが決定されるとき、少なくとも１つの追加的なＳＩＢを復号することと
を行うようにさらに構成される、Ｃ２１に記載の装置。
［Ｃ２４］
前記少なくとも１つのプロセッサは、
前記近傍セルの前記周波数バンドを使用して、デバイス間送信を行うことと、
前記近傍セルの前記周波数バンドを使用して、デバイス間受信を行うことと
を行うようにさらに構成される、Ｃ２３に記載の装置。
［Ｃ２５］
前記少なくとも１つのプロセッサは、
前記サービングセルの周波数バンドを使用して、デバイス間送信を行うことと、
前記近傍セルの前記周波数バンドを使用して、デバイス間受信を行うことと
を行うようにさらに構成される、Ｃ２３に記載の装置。
［Ｃ２６］
前記少なくとも１つのプロセッサは、
所定の数の探索の後に、ネットワーク接続が検出されないとき、前記近傍セル上の前記周波数バンドについての前記探索が失敗したことを決定することと
を行うようにさらに構成される、Ｃ２１に記載の装置。
［Ｃ２７］
前記少なくとも１つのプロセッサは、
ネットワーク接続が、１つまたは複数の探索内で検出されたとき、前記近傍セル上の前記周波数バンドについての前記探索が成功であることを決定すること
を行うようにさらに構成される、Ｃ２１に記載の装置。
［Ｃ２８］
前記少なくとも１つのプロセッサは、
前記近傍セル上の前記周波数バンドについての前記探索が失敗する場合、ネットワーク接続が前記近傍セルと前に確立されたかどうかを決定することと、
信頼メトリックに基づいて、前記近傍セル上の前記周波数バンドについての前記探索が失敗するとき、前記周波数バンドに関連付けられた前記予め構成されたリソースを使用して、前記デバイス間通信を行うことと
を行うようにさらに構成される、Ｃ２１に記載の装置。
［Ｃ２９］
前記少なくとも１つのプロセッサは、
予め構成された優先度に基づいて、または前記デバイス間通信において使用された前の周波数に基づいて、周波数のリストから周波数を選択することによって、前記周波数バンドに関連付けられた予め構成されたリソースを使用して、前記デバイス間通信を行うことと、
前記近傍セルからのシステム情報ブロックにおいて受信された優先度情報に基づいて、近傍周波数を選択することによって、前記近傍セルの前記周波数バンドに関連付けられたリソースを使用して、前記デバイス間通信を行うことと
を行うように構成される、Ｃ２１に記載の装置。
［Ｃ３０］
ワイヤレス通信のためのコンピュータ実行可能コードを記憶するコンピュータ読取り可能媒体であって、
ネットワークへの接続のためのサービングセルを選択することと、
デバイス間通信における使用のための近傍セル上の周波数バンドについての探索を行うことと、
前記近傍セル上の前記周波数バンドについての前記探索が失敗するとき、前記周波数バンドに関連付けられた予め構成されたリソースを使用して、前記デバイス間通信を行うことと、
前記近傍セル上の前記周波数バンドについての前記探索が成功であるとき、前記近傍セルの前記周波数バンドに関連付けられたリソースを使用して、前記デバイス間通信を行うことと
を行うためのコードを備える、コンピュータ読取り可能媒体。